(57)【要約】【課題】ネットワーク通話において音声パケットの往復時間を正確に計測可能な往復時間計測装置の提供。【解決手段】通信ネットワークに接続された通話端末間で音声通話を行う際、通信ネットワークとそれぞれの通話端末との間に設けられた２つの計測装置の間で、通話品質を評価するため、音声パケットを計測用パケットとして送受信し、往復時間を計測する。この際、一方を送信側計測装置として、時点ｔ１に計測用パケットを送信し、他方の受信側計測装置では、時点ｔ２に受信した計測用パケットの本体情報を処理せずに返信することで（時点ｔ３）、返信するための時間を略々０にする。時点ｔ４に送信側計測装置で返信された計測用パケットを受信した送信側計測装置は、時点ｔ１と時点ｔ４とに基づく時間Ｔ１＋Ｔ２だけによって往復時間を計測し、該往復時間は、送信側計測装置のクロックｃ１だけで計算可能となる。【選択図】　図５
2004088537.tif 000002
【特許請求の範囲】
【請求項１】
通信ネットワークに接続された複数の通話端末間で、複数の音声パケットにより構成される通話データを前記通信ネットワークを介してやり取りすることで音声通話を行うネットワーク通話にて、前記通話端末間の音声パケットの往復時間を計測するネットワーク通話の往復時間計測設備において、
前記通信ネットワークと前記ネットワーク通話を行う通話端末の間に設けられ、本体情報に宛先情報が付された計測用パケットを送信した時間と受信した時間とにより往復時間を計測する時間計測手段を有する送信側計測装置と、
前記通信ネットワークと前記ネットワーク通話を行う通話端末の間に設けられ、前記計測用パケットを受信すると共に、前記送信側計測装置に前記計測用パケットの本体情報を処理せずに返信するパケット返信手段を有する受信側計測装置と、を設けて構成する、
ことを特徴とするネットワーク通話の往復時間計測設備。
【請求項２】
前記受信側計測装置は、前記パケット返信手段により前記計測用パケットの宛先情報だけを処理して前記計測用パケットを前記送信側計測装置に返信する、
ことを特徴とするネットワーク通話の往復時間計測設備。
【請求項３】
前記受信側計測装置に、前記送信側計測装置に返信するための計測用パケットをあらかじめ生成する返信用パケット生成手段を設けて構成し、
前記受信側計測装置のパケット返信手段は、前記計測用パケットを受信すると共に、前記送信側計測装置に前記返信用パケット生成手段により生成された前記返信するための計測用パケットを返信する、
ことを特徴とするネットワーク通話の往復時間計測設備。
【請求項４】
前記計測用パケットに、音声パケットを用いる、
ことを特徴とする請求項１ないし３のいずれか記載のネットワーク通話の往復時間計測設備。
【請求項５】
前記送信側計測装置に、前記音声パケットに測定用データを付加して前記計測用パケットを生成する計測用パケット生成手段を設けて構成する、
ことを特徴とする請求項４記載のネットワーク通話の往復時間計測設備。
【請求項６】
前記計測用パケットの往復時間を、前記送信側計測装置の時間計測手段のみにより計測する、
ことを特徴とする請求項１ないし５のいずれか記載のネットワーク通話の往復時間計測装設備。
【請求項７】
前記送信側計測装置及び前記受信側計測装置は、双方の機能を共に有する計測装置であり、
前記計測装置により相互に往復時間の計測が自在である、
ことを特徴とする請求項１ないし６のいずれか記載のネットワーク通話の往復時間計測設備。
【請求項８】
前記送信側計測装置に、前記時間計測手段による計測結果を計測結果データとして蓄積自在、送受信自在である計測データ取扱手段を設けて構成する、
ことを特徴とする請求項１ないし７のいずれか記載のネットワーク通話の往復時間計測設備。
【発明の詳細な説明】
【０００１】
【発明の属する技術分野】
本発明は、音声パケットをやり取りして音声通話を行うネットワーク通話において、通話端末間の音声パケットの往復時間を計測する往復時間計測設備に関する。
【０００２】
【従来の技術】
最近、インターネットや専用通信網などの通信ネットワークを利用して音声通話を行うネットワーク通信が実用化しつつある。このようなネットワーク通信において、通話品質は、様々な原因によって左右されるが、中でも送信側から受信側に届くまでの片方向遅延時間によって大きく左右される。
【０００３】
そのため、通話品質を管理するために、データとして時間情報を有するＲＴＣＰ（ＲＴＰ　Ｃｏｎｔｒｏｌ　Ｐｒｏｔｏｃｏｌ）パケットを用いて往復時間を計測し、通常、往路の時間と復路の時間とが略々同じであるので、その往復時間を半分にすることで片方向遅延時間を計測するような公知技術が用いられている。
【０００４】
【発明が解決しようとする課題】
しかしながら、上記ＲＴＣＰパケットによる往復時間の計測においては、例えば図６に示すように、送信側計測装置（時点ｔ１）から送信されたＲＴＣＰパケットが受信側計測装置で受信された際（時点ｔ２）に、該受信側計測装置において時間演算処理などを行い、パケット内容を書換えてから上記送信側計測装置に返信するための時間Ｔ３（時点ｔ２から時点ｔ３）がある（例えば約５秒から約１０秒程度）。
【０００５】
また、例えば送信側計測装置のクロックｃ１と受信側計測装置のクロックｃ２とが正確に同じであれば良いが、図６に示すように、送信側計測装置のクロックｃ１と受信側計測装置のクロックｃ２とが相違している場合が多い。
【０００６】
そのため、例えば送信側計測装置における時間の流れの方が速い場合には、受信側計測装置で受信してから時間Ｔ３後に返信したことが記録されたＲＴＣＰパケットを、送信側計測装置が受信、計算した際に、図中一点鎖線で示すように時点ｔ３’で返信されたように計算してしまい、本来、時間Ｔ３を除いた時間Ｔ１及び時間Ｔ２からなる往復時間を、時間Ｔ３’を除いた時間Ｔ１及び時間Ｔ２’であるように誤って計測してしまう。
【０００７】
特に送信側計測装置と受信側計測装置とにパーソナルコンピュータなどを用いた場合など、クロックが相違していることが多く、そのクロックの相違によってパケットの往復時間を正確に計測することが困難であった。
【０００８】
一方、例えばインターネットなどのネットワークを用いて音声通話を行う場合において、音声データの送受信処理が他のデータの処理と同等に順番に処理されると、音声データの送受信が後回しにされて音声通話（つまり会話）が成立たなくなる虞があるため、音声データを優先して送受信するＱｏＳ（Ｑｕａｌｉｔｙｏｆ　Ｓｅｒｖｉｃｅ）のような仕組みを使用する場合がある。
【０００９】
このＱｏＳを使用している場合には、上述したＲＴＣＰパケットなどのような音声パケットでないパケットで往復時間を計測すると、音声パケットに対して処理が後回しにされることがあり、音声パケットの往復時間とは異なる計測結果になってしまって、つまり音声パケットの往復時間を正確に計測することが出来なかった。
【００１０】
そこで本発明は、音声パケットの往復時間を正確に計測することが可能なネットワーク通話の往復時間計測装置を提供することを目的とするものである。
【００１１】
【課題を解決するための手段】
請求項１に係る発明は、通信ネットワーク（２）に接続された複数の通話端末（３，７，１１）間で、複数の音声パケット（２０）により構成される通話データを前記通信ネットワーク（２）を介してやり取りすることで音声通話を行うネットワーク通話にて、前記通話端末（３，７，１１）間の音声パケット（２０）の往復時間を計測するネットワーク通話の往復時間計測設備（１）において、
前記通信ネットワーク（２）と前記ネットワーク通話を行う通話端末（３，７，１１）の間に設けられ、本体情報（例えば２０ｂ，２０ｃ，２０ｄ）に宛先情報（２０ａ）が付された計測用パケット（２０ｍ）を送信した時間（ｔ１）と受信した時間（ｔ４）とにより往復時間（Ｔ１＋Ｔ２）を計測する時間計測手段（２７）を有する送信側計測装置（例えば５Ａ）と、
前記通信ネットワーク（２）と前記ネットワーク通話を行う通話端末（３，７，１１）の間に設けられ、前記計測用パケット（２０ｍ）を受信すると共に、前記送信側計測装置（例えば５Ａ）に前記計測用パケット（２０ｍ）の本体情報（例えば２０ｂ，２０ｃ，２０ｄ）を処理せずに返信するパケット返信手段（２８）を有する受信側計測装置（例えば５Ｂ）と、を設けて構成することを特徴とする。
【００１２】
請求項２に係る発明は、前記受信側計測装置（例えば５Ｂ）は、前記パケット返信手段（２８）により前記計測用パケット（２０ｍ）の宛先情報（２０ａ）だけを処理して前記計測用パケット（２０ｍ）を前記送信側計測装置（例えば５Ａ）に返信することを特徴とする。
【００１３】
請求項３に係る発明は、前記受信側計測装置（例えば５Ｂ）に、前記送信側計測装置（例えば５Ａ）に返信するための計測用パケット（２０ｍ’）をあらかじめ生成する返信用パケット生成手段（３０）を設けて構成し、
前記受信側計測装置（例えば５Ｂ）のパケット返信手段（２８）は、前記計測用パケット（２０ｍ）を受信すると共に、前記送信側計測装置（例えば５Ａ）に前記返信用パケット生成手段（３０）により生成された前記返信するための計測用パケット（２０ｍ’）を返信することを特徴とする。
【００１４】
請求項４に係る発明は、前記計測用パケット（２０ｍ）に、音声パケット（２０）を用いることを特徴とする。
【００１５】
請求項５に係る発明は、前記送信側計測装置（例えば５Ａ）に、前記音声パケット（２０）に測定用データ（２０ｃ，２０ｄ）を付加して前記計測用パケット（２０ｍ）を生成する計測用パケット生成手段（２９）を設けて構成することを特徴とする。
【００１６】
請求項６に係る発明は、前記計測用パケット（２０ｍ）の往復時間（Ｔ１＋Ｔ２）を、前記送信側計測装置（例えば５Ａ）の時間計測手段（２７）のみにより計測することを特徴とする。
【００１７】
請求項７に係る発明は、前記送信側計測装置及び前記受信側計測装置は、双方の機能を共に有する計測装置（５）であり、
前記計測装置（５）により相互に往復時間（Ｔ１＋Ｔ２）の計測が自在であることを特徴とする。
【００１８】
請求項８に係る発明は、前記送信側計測装置（例えば５Ａ）に、前記時間計測手段（２７）による計測結果を計測結果データとして蓄積自在、送受信自在である計測データ取扱手段（３１）を設けて構成することを特徴とする。
【００１９】
【発明の効果】
請求項１に係る発明によると、計測用パケット（２０ｍ）を送信した時間（ｔ１）と受信した時間（ｔ４）とにより往復時間（Ｔ１＋Ｔ２）を計測する時間計測手段（２７）を有する送信側計測装置（例えば５Ａ）と、計測用パケット（２０ｍ）を受信すると共に、送信側計測装置（例えば５Ａ）に計測用パケット（２０ｍ）の本体情報（例えば２０ｂ，２０ｃ，２０ｄ）を処理せずに返信するパケット返信手段（２８）を有する受信側計測装置（例えば５Ｂ）と、を設けて構成するので、受信側計測装置（例えば５Ｂ）が計測用パケット（２０ｍ）を受信してから返信するまでの時間を略々０にすることが出来、音声パケット（２０）の往復時間を正確に計測することが出来る。
【００２０】
請求項２に係る発明によると、受信側計測装置（例えば５Ｂ）は、パケット返信手段（２８）により計測用パケット（２０ｍ）の宛先情報（２０ａ）だけを処理して計測用パケット（２０ｍ）を送信側計測装置（例えば５Ａ）に返信するので、受信側計測装置（例えば５Ｂ）が計測用パケット（２０ｍ）を受信してから返信するまでの時間を略々０にすることが出来る。
【００２１】
請求項３に係る発明によると、受信側計測装置（例えば５Ｂ）に、送信側計測装置（例えば５Ａ）に返信するための計測用パケット（２０ｍ’）をあらかじめ生成する返信用パケット生成手段（３０）を設けて、受信側計測装置（例えば５Ｂ）のパケット返信手段（２８）が、計測用パケット（２０ｍ）を受信すると共に、送信側計測装置（例えば５Ａ）に返信用パケット生成手段（３０）により生成された返信するための計測用パケット（２０ｍ’）を返信するので、受信側計測装置（例えば５Ｂ）が計測用パケット（２０ｍ）を受信してから返信するまでの時間を略々０にすることが出来る。
【００２２】
請求項４に係る発明によると、計測用パケット（２０ｍ）に、音声パケット（２０）を用いるので、例えば音声パケット（２０）を優先的に処理する仕組みを使用している場合であっても、音声パケット（２０）の往復時間を正確に計測することが出来る。
【００２３】
請求項５に係る発明によると、送信側計測装置（例えば５Ａ）に、音声パケット（２０）に測定用データ（２０ｃ，２０ｄ）を付加して計測用パケット（２０ｍ）を生成する計測用パケット生成手段（２９）を設けて構成するので、計測用パケット（２０ｍ）として音声パケット（２０）を用いることが出来る。
【００２４】
請求項６に係る発明によると、計測用パケット（２０ｍ）の往復時間（Ｔ１＋Ｔ２）を、送信側計測装置（例えば５Ａ）の時間計測手段（２７）のみにより計測するので、音声パケット（２０）の往復時間を誤って算出することなく、正確に算出することが出来る。
【００２５】
請求項７に係る発明によると、送信側計測装置及び受信側計測装置は、双方の機能を共に有する計測装置（５）であり、計測装置（５）により相互に往復時間（Ｔ１＋Ｔ２）の計測が自在であるので、相互に往復時間を計測して、その計測データを互いにやり取りすることも出来、より正確に往復時間を計測することが出来る。
【００２６】
請求項８に係る発明によると、送信側計測装置（例えば５Ａ）に、時間計測手段（２７）による計測結果を計測結果データとして蓄積自在、送受信自在である計測データ取扱手段（３１）を設けて構成するので、例えば通話者やネットワーク管理者などが通話品質を管理するために計測結果を利用することが出来る。
【００２７】
なお、上記カッコ内の符号は、図面と対照するためのものであるが、これは、発明の理解を容易にするための便宜的なものであり、特許請求の範囲の構成に何等影響を及ぼすものではない。
【００２８】
【発明の実施の形態】
以下、本発明の実施の形態を図に沿って説明する。図１は、本発明が適用される、通信ネットワークの一例を示す概略図、図２は、計測装置の一例を示すブロック図、図３は、計測用パケットの一例を示す説明図、図４は、計測装置の制御を示すフローチャート、図５は、本発明に係る往復時間を計測する際を示すタイムチャートである。
【００２９】
通信ネットワークの往復時間計測設備１は、図１に示すように、インターネットプロトコルなどの通信手順によりパケットデータ通信が行われる通信ネットワーク２を有しており、この通信ネットワーク２としては、特定のネットワーク管理者が運営し、ネットワーク管理者が許可した特定の加入者のみが使用可能なネットワークや、誰もが接続して利用できる、公衆ネットワークの両方の場合がある。
【００３０】
通信ネットワーク２上には、通話端末として、地点Ａ，ＢのＩＰ電話機３、地点Ｃのパーソナルコンピュータ（以下、単に「コンピュータ」とする）７、地点Ｄのアナログ電話機１１が接続されている。
【００３１】
各種表示を行うモニタ６及び操作入力するためのキーボード９を有するコンピュータ７は、所定のソフトウェアにより機能し、例えばマイク付ヘッドホン８が接続されて音声通話が自在となっており、また、アナログ電話機１１と通信ネットワーク２との間には、音声パケットとアナログ音声データとを変換自在な音声データ変換装置１０が介在して音声通話が自在となっている。
【００３２】
ＩＰ電話機３、コンピュータ７、音声データ変換装置１０には、それぞれＩＰアドレスが付されており、通信ネットワーク２から各通話端末３への音声通話を、通信ネットワーク２から各通話端末３に流れてくる音声データを含むパケット（以下、単に「音声パケット２０」と称する）の本体情報（音声データ）２０ｂに付された、ＩＰアドレスを含む公知の宛先情報２０ａに基づいて区別する。
【００３３】
地点Ａ，ＢのＩＰ電話機３と通信ネットワーク２との間には、音声パケット２０の往復時間を計測するための計測装置５（計測装置５Ａ，５Ｂ，５Ｃ，５Ｄなどを含めて全てをいう場合は「計測装置５」とし、それぞれを区別していう場合は「計測装置５Ａ，５Ｂ，５Ｃ，５Ｄ」とする。）として、計測装置５Ａ，５Ｂが接続されており、地点Ｃのコンピュータ７と通信ネットワーク２との間にも同様の計測装置５Ｃが接続されている。
【００３４】
また、計測装置５は、地点Ｄのように音声データ変換装置１０に内蔵される形の計測装置５Ｄであってもよく、更に、例えば計測装置５Ｃは、所定のプログラム（ソフトウェア）によってコンピュータ７が計測装置としても機能するような様態であってもよい。
【００３５】
計測装置５は、図２に示すように、主制御部２１を有しており、主制御部２１には、バス線３４を介して、ネットワーク２に接続されたパケット送受信部２２、送信処理部２３、データメモリ２５、受信処理部２６、時間計測部２７、パケット返信部２８、計測用パケット生成部２９、返信用パケット生成部３０、計測データ取扱部３１、表示部３２及び入力部３３が接続されている。
【００３６】
パケット送受信部２２には、通話端末（ＩＰ電話機、コンピュータ）３，７が並列に接続されているが、通話端末３，７と計測装置５との接続様態は、図１及び図２に示すように、ネットワーク２に対して並列に接続されている必要はなく、直接的に接続されていてもよい。
【００３７】
また、例えば計測装置５Ｄには、音声パケット２０をアナログ音声データに変換してアナログ電話機１１に出力するアナログ音声出力部（不図示）が設けてあり、つまり通話端末１１、計測装置５Ｄ、ネットワーク２が直列的に接続されている。
【００３８】
なお、計測装置５は、音声パケット２０の往復時間を計測するためだけの装置に限らず、例えば音声パケット２０の到達遅れ、ジッタ（揺らぎ）、音声パケット２０の消失、遅延、数種類ある客観的音質評価などの通話品質に関するデータを演算測定するような機能を共有していてもよく、つまり少なくとも音声パケット２０の往復時間を計測する機能を有する装置でれば、何れの装置であってもよい。
【００３９】
また、通信ネットワーク２には、図１に示すように、地点Ａ，Ｂ，Ｃ，Ｄとは別な場所であるセンターＣＴに、例えばネットワーク管理者などがネットワーク２上における通話品質を管理するためにネットワーク管理装置１２が設けられている。
【００４０】
該ネットワーク管理装置１２は、例えば各計測装置５で計測される音声パケット２０の往復時間のデータを収集し、それに基づいて通話品質の状態を上記ネットワーク管理者が確認したり、通話品質の改善するために利用したりするような通話品質の管理が可能となっている。
【００４１】
通信ネットワーク設備１は、以上のような構成を有するので、通信ネットワーク２に接続されたＩＰ電話機３、コンピュータ７、アナログ電話機１１で通話を行う場合、その音声データは、送話側のＩＰ電話機３、コンピュータ７、又は音声データ変換装置１０で、多数の音声パケット２０に分割された形で通信ネットワーク２上に流される。
【００４２】
なお、この音声データを送信する際には、通常、送信するデータ量を少なくするため、何らかのコーデック（圧縮・解凍用プログラム）によりエンコード（圧縮）するが、特にエンコードすることなく送信することもあり得る。
【００４３】
上記音声パケット２０のそれぞれには、既に述べたように、音声データを送ろうとする受話側のＩＰ電話機３、コンピュータ７、又は音声データ変換装置１０のＩＰアドレスが宛先情報２０ａとして格納されている。
【００４４】
各ネットワーク２に接続された計測装置５は、ネットワーク２上を流れる音声パケット２０を、図２のパケット送受信部２２で監視し、自己の計測装置５に接続されたＩＰ電話機３、コンピュータ７、又は音声データ変換装置１０のＩＰアドレスが付された音声パケット２０のみを識別して、受信処理部２６に取り込みを指示する。
【００４５】
また、ＩＰ電話機３、コンピュータ７、音声データ変換装置１０は、同様に通信ネットワーク２上を流れる音声パケット２０から、自己宛の音声パケット２０のみを識別して取り込む。
【００４６】
即ち、受話側のＩＰ電話機３では、自己のＩＰアドレスと一致する音声パケット２０のみを取り込み、内部でそれら音声パケット２０をデコード（再構成、解凍）して音声信号として出力し、通話が成立する。
【００４７】
また、コンピュータ７では、自己のＩＰアドレスと一致する音声パケット２０のみを取り込み、不図示の音声変換部で該音声パケット２０をデコードして音声信号として例えばマイク付ヘッドホン８などに出力し、通話が成立する。
【００４８】
更に、アナログ電話機１１では、音声データ変換装置１０が自己のＩＰアドレスと一致する音声パケット２０のみを取り込むと共に該音声パケット２０をデコードして音声信号として該アナログ電話機１１に出力し、通話が成立する。
【００４９】
ついで、本発明の要部となる、音声パケットの往復時間を計測する際について説明する。上述のように通話端末としてのＩＰ電話機３、コンピュータ７、又はアナログ電話機１１の間で通話が行われている際は、例えば所定時間毎などで音声パケットの往復時間の計測が行われる。
【００５０】
具体的な一例として、例えば地点Ａと地点ＢとのＩＰ電話機３の間で通話が行われている際に、測定装置５Ａが送信側計測装置、測定装置５Ｂが受信側計測装置となった場合を以下に説明する。
【００５１】
まず、送信側計測装置５Ａは、計測用パケット生成部２９により、図３に示すように、パケット本体の情報としての音声データ２０ｂに、識別番号データ２０ｃ、時間情報２０ｄなどを付加し、宛先情報２０ａを付して測定用パケット２０ｍを生成する。宛先情報２０ａとしては、通常地点ＢのＩＰ電話機３のＩＰアドレスを宛先情報２０ａとするが、受信側計測装置５ＢにＩＰアドレスが付されている場合には、該受信側計測装置５ＢのＩＰアドレスであってもよい。なお、本明細書中において、宛先情報２０ａを除く、これら音声データ２０ｂ、識別番号データ２０ｃ、時間情報２０ｄなどを本体情報と定義する。
【００５２】
この測定用パケット２０ｍを生成するための元となる音声パケット２０は、通話に支障を生じさせないように、計測用パケット生成部２９により例えば人には聞こえないような音声データ２０ｂを新たに生成して用いることが好ましいが、例えば地点ＡのＩＰ電話機３より地点ＢのＩＰ電話機３に対して出力された音声パケット２０のうちの一つを用いてもよく、測定用パケット２０ｍを生成する手法としては各種の様態が考えられる。
【００５３】
つづいて、送信側計測装置５Ａにおいて、上述のように計測用パケット２０ｍが生成されると、図４に示すように、パケット送受信部２２を介して送信処理部２３により該計測用パケット２０ｍを送信すると共に、時間計測部２７が有するタイマをスタートさせる（Ｓ１−１）。そして、送信側計測装置５Ａは、パケット送受信部２２を介して受信処理部２６により測定用パケット２０ｍが返信されてくるのを待つ状態となる（Ｓ１−２）。
【００５４】
一方、受信側計測装置５Ｂは、送信側計測装置５Ａより送信された計測用パケット２０ｍをパケット送受信部２２によって受信すると、パケット返信部２８により該計測用パケット２０ｍを識別すると共に、送信されてきた計測用パケット２０ｍの音声データ２０ｂ、識別番号データ２０ｃ、時間情報２０ｄに対して何れの処理も行わずに、かつ他の処理に対して最優先で処理する形で、パケット送受信部２２によって送信する（Ｓ２−２）。
【００５５】
なお、計測用パケット２０ｍには、通常の音声パケット２０と異なり、音声データ２０ｂの後に、識別番号データ２０ｃ、時間情報２０ｄなどの計測用データが付されているので、各計測装置５において、通常の音声パケット２０と計測用パケット２０ｍとは、容易に識別することが出来る。
【００５６】
この返信において、例えば１回目の返信である場合は、受信側計測装置５Ｂにおいて、パケット送受信部２２によって宛先情報２０ａを返信するための宛先情報に変更する処理だけを行って返信する。これにより、受信側計測装置５Ｂが計測用パケット２０ｍを受信してから返信するまでの時間を略々０（少なくとも測定精度以下である１ｍ秒以下）にすることが出来る。
【００５７】
なお、この返信するための宛先情報２０ａとしては、通常地点ＡのＩＰ電話機３のＩＰアドレスを宛先情報２０ａとするが、送信側計測装置５ＡにＩＰアドレスが付されている場合には、該受信側計測装置５ＡのＩＰアドレスであってもよい。
【００５８】
また、２回目以降の返信である場合は、受信側計測装置５Ｂにおいて、例えば１回目に受信した計測用パケット２０ｍに基づき、返信する計測用パケットの宛先情報２０ａ、音声データ２０ｂ、識別番号データ２０ｃ、時間情報２０ｄの内容が分かっているので、返信用パケット生成部３０によりあらかじめ返信するための計測用パケット２０ｍ’を生成しておく（Ｓ２−１）。
【００５９】
そして、受信側計測装置５Ｂは、送信側計測装置５Ａより送信された計測用パケット２０ｍをパケット送受信部２２によって受信し、パケット返信部２８により該計測用パケット２０ｍを識別すると共に、上記返信用パケット生成部３０によりあらかじめ生成されている計測用パケット２０ｍ’をパケット送受信部２２によって送信する。なおこの際、受信した計測用パケット２０ｍに対しては、特に処理を行わない。
【００６０】
これにより、受信側計測装置５Ｂが計測用パケット２０ｍを受信してから返信するまでの時間を、上記宛先情報を返信するための宛先情報に変更する処理を行う場合より更に早くすることが出来、つまり該返信までの時間を略々０にすることが出来る。
【００６１】
その後、返信されてくる計測用パケット２０ｍを待つ状態であった送信側計測装置５Ａは、パケット送受信部２２を介して受信処理部２６により返信されてきた計測用パケット２０ｍ（或いは計測用パケット２０ｍ’）を受信すると共に、上記ステップＳ１−１においてスタートさせた時間計測部２７のタイマをストップする（Ｓ１−３）。
【００６２】
そして、時間計測部２７は、そのタイマにより計測された時間により往復時間について計算する（Ｓ１−４）。この際の計算は、単に半分にすることで片方向遅延時間、遅延率などと、計測用パケット２０ｍが返信されてこない場合の損失率なども計算することが可能である。
【００６３】
なお、計算された往復時間の結果は、計測結果データとして、計測データ取扱部３１により他の計測装置５やネットワーク管理装置１２に送信したり、表示部３２によってそのままの値、或いは通話品質として評価された状態で表示したり、データメモリ２５に記録、蓄積したりする。
【００６４】
また、以上の往復時間の計測開始や、計測データ取扱部３１による他の計測装置５やネットワーク管理装置１２に結果を送信する際は、所定時間毎でなくてもよく、入力部３３を介した操作者の指令などに基づいて行ってもよい。
【００６５】
以上説明したように計測装置５により音声パケット２０の往復時間を計測する際は、図５に示すように、送信側計測装置５Ａが時点ｔ１に計測用パケット２０ｍを送信し（Ｓ１−１）、時点ｔ２で受信側計測装置５Ｂで受信する。受信側計測装置５Ｂが時点ｔ３に、宛先情報２０ａだけの処理を行って計測用パケット２０ｍを返信、或いはあらかじめ生成しておいた計測用パケット２０ｍ’を返信するので（Ｓ２−２）、時点ｔ２と時点ｔ３との間を略々０で返信することが出来る。
【００６６】
そして、送信側計測装置５Ａの時間計測部２７は、時点ｔ４において返信されてきた計測用パケット２０ｍの受信に基づき、計測用パケット２０ｍの往復時間を時間Ｔ１と時間Ｔ２とだけにより計測することが出来る。
【００６７】
即ち、たとえ送信側計測装置５Ａのクロックｃ１と受信側計測装置５Ｂのクロックｃ２とが違っていても、受信側計測装置５Ｂのクロックｃ２によって計測する時間（図６の返信処理の時間Ｔ３）がないので、送信側計測装置５Ａのクロックｃ１だけで上記往復時間を計測することが出来る。
【００６８】
また、例えば送信側計測装置５Ａにおける１．００秒は、受信側計測装置５Ｂにおける０．９９秒である、などのような可能性があるが、例えば各計測装置５別（各クロック別）に閾値を設定し（例えばクロックｃ１によって計測される１．００秒以上が遅延であるなら、クロックｃ２によって計測される０．９９秒以上を遅延とするような閾値をそれぞれ設定すること）、品質評価値として互いに計測データをやり取りすることで、正確に通話品質を評価することが可能である。
【００６９】
なお、上記品質評価値が一定の閾値を超えた場合（つまり品質が一定の値より下がった場合）には、計測データ取扱部３１によって警告情報などを表示部３２に表示したり、パケット送受信部２２を介して上記ネットワーク管理装置１２に該警告情報を送信したりすることが出来る。この警告情報としては、所定のアラーム信号などでもよい。これにより、例えば通話者やネットワーク管理者は、現在の通信ネットワーク２の状態がどのような通話品質の状態にあるかを直ちに認識することが出来る。
【００７０】
また、上述の説明では、地点Ａ，Ｂの各ＩＰ電話機３により音声通話している際に、計測装置５Ａが送信側計測装置、計測装置５Ｂが受信側計測装置である場合について説明したが、勿論送信側計測装置、受信側計測装置が反対であってもよく、相互に往復時間を計測して、その計測データを互いにやり取りすることで、より正確に通話品質の状態を計測することが可能である。
【００７１】
以上、説明したように、本発明に係るネットワーク通話の往復時間計測設備１によると、受信側計測装置５（例えば５Ｂ）が、計測用パケット２０ｍを受信すると共に、送信側計測装置５（例えば５Ａ）に計測用パケット２０ｍの音声データ２０ｂ、識別番号データ２０ｃ、時間情報２０ｄを処理せずに返信するので、受信側計測装置５（例えば５Ｂ）が計測用パケット２０ｍを受信してから返信するまでの時間を略々０にすることが出来、それによって音声パケット２０の往復時間を正確に計測することが出来る。
【００７２】
また、受信側計測装置５（例えば５Ｂ）は、例えば１回目の返信において、パケット返信手段２８により計測用パケット２０ｍの宛先情報２０ａだけを処理して計測用パケット２０ｍを送信側計測装置５（例えば５Ａ）に返信するので、受信側計測装置５（例えば５Ｂ）が計測用パケット２０ｍを受信してから返信するまでの時間を略々０にすることが出来る。
【００７３】
更に、受信側計測装置５（例えば５Ｂ）の返信用パケット生成部３０が、送信側計測装置５（例えば５Ａ）に返信するための計測用パケット２０ｍ’をあらかじめ生成し、受信側計測装置５（例えば５Ｂ）のパケット返信部２８が、計測用パケット２０ｍを受信すると共に、送信側計測装置５（例えば５Ａ）にあらかじめ生成されている計測用パケット２０ｍ’を返信するので、受信側計測装置５（例えば５Ｂ）が計測用パケット２０ｍを受信してから返信するまでの時間を略々０にすることが出来る。
【００７４】
また、送信側計測装置５（例えば５Ａ）に、音声パケット２０に識別番号２０ｃ、時間情報２０ｄなどを付加して計測用パケット２０ｍを生成する計測用パケット生成手段２９を設けたので、計測用パケット２０ｍとして音声パケット２０を用いることが出来き、例えばＱｏＳのように音声パケット２０を優先的に処理する仕組みを使用している場合であっても、音声パケット２０の往復時間を正確に計測することが出来る。
【００７５】
更に、計測用パケット２０ｍの往復時間（Ｔ１＋Ｔ２）を、送信側計測装置５（例えば５Ａ）の時間計測部２７のタイマのみにより計測するので、例えば送信側計測装置５（例えば５Ａ）のクロックｃ１と受信側計測装置５（例えば５Ｂ）のクロックｃ２とが相違していたとしても、送信側計測装置５（例えば５Ａ）のクロックｃ１だけで計測用パケット２０ｍの往復時間（Ｔ１＋Ｔ２）を計測し、計算することが出来、それにより、音声パケット２０の往復時間を誤って算出することなく、正確に算出することが出来る。
【００７６】
また、送信側計測装置及び受信側計測装置は、双方の機能を共に有する計測装置５であり、計測装置５により相互に往復時間（Ｔ１＋Ｔ２）の計測が自在であるので、相互に往復時間を計測して、その計測データを互いにやり取りすることも出来、より正確に音声パケット２０の往復時間を計測することが出来る。
【００７７】
更に、送信側計測装置５（例えば５Ａ）に、時間計測部２７による計測結果を計測結果データとして蓄積自在、送受信自在である計測データ取扱部３１を設けて構成するので、例えば受信側計測装置５（例えば５Ｂ）や通話ネットワーク管理装置１２に計測結果データを送信することも出来、それによって、例えば通話者やネットワーク管理者などが通話品質を管理するために計測結果を利用することが出来る。
【００７８】
なお、以上の本発明に係る実施の形態において、音声パケット２０に識別番号２０ｃ、時間情報２０ｄなどを付加して計測用パケット２０ｍを生成し、当該計測用パケット２０ｍを用いて往復時間を計測しているが、音声パケット２０をそのまま計測用パケットとして用いてもよい。
【００７９】
この際は、送信側計測装置が、例えば人には聞こえない音などのような特定の音声データを有する音声パケットを送信した際にタイマをスタートさせ、受信側計測装置において、その特定の音声データを有する音声パケットを受信した場合にそのまま返信するようにすることで、同様に往復時間を計測することが可能である。
【００８０】
また、本実施の形態において、各計測装置５は、それぞれ送信側計測装置及び受信側計測装置として、双方の機能を有しているものについて説明したが、例えば通話端末同士がいつも決まったもの同士であるならば、一方に送信側計測装置だけの機能、他方に受信側計測装置だけの機能を有する計測装置を設けて用いてもよい。
【００８１】
この際は、特に受信側計測装置が返信する機能（例えばパケット送受信部２２、パケット返信部２８、返信用パケット生成部３０など）だけを有していれば足り、該装置を大がかりなものにする必要はない。
【図面の簡単な説明】
【図１】本発明が適用される、通信ネットワークの一例を示す概略図である。
【図２】計測装置の一例を示すブロック図である。
【図３】計測用パケットの一例を示す説明図である。
【図４】計測装置の制御を示すフローチャートである。
【図５】本発明に係る往復時間を計測する際を示すタイムチャートである。
【図６】従来の往復時間を計測する際を示すタイムチャートである。
【符号の説明】
１……ネットワーク通話の往復時間計測設備
２……通信ネットワーク
３……通話端末（ＩＰ電話機）
５……計測装置（送信側計測装置、受信側計測装置）
７……通話端末（コンピュータ）
１１……通話端末（アナログ電話機）
２０……音声パケット
２０ａ……宛先情報
２０ｂ……本体情報（音声データ）
２０ｃ……本体情報、測定用データ（識別番号）
２０ｄ……本体情報、測定用データ（時間情報）
２０ｍ……計測用パケット
２０ｍ’……返信するための計測用パケット
２７……時間計測手段（時間計測部）
２８……パケット返信手段（パケット返信部）
２９……計測用パケット生成手段（計測用パケット生成部）
３０……返信用パケット生成手段（返信用パケット生成部）
３１……計測データ取扱手段（計測データ取扱部）
ｔ１……送信した時間
ｔ４……受信した時間
【図１】
2004088537.tif 000003
【図２】
2004088537.tif 000004
【図３】
2004088537.tif 000005
【図４】
2004088537.tif 000006
【図５】
2004088537.tif 000007
【図６】
2004088537.tif 000008